(57)【要約】【課題】  ポストカ−ド等を手軽に，安全に，経済的に展示できるとともに，自由に開閉する支脚部を設けることにより，任意の傾きでスタンドを立てることができる，２枚の紙質又の板状材を使用した簡易スタンドを提供する。【解決手段】  厚めと薄めの２枚の台形の紙質又は樹脂膜片等の板状材の上下に糊代をとり貼り合わせる。  厚めの紙は開閉脚が可能な支脚部を形成し，薄めの紙は開脚角度の調節が可能な補助支脚部を形成する。  スタンドとして使用する際は，２枚の紙の上部を剥がし，薄めの紙の中央部を２つ折りにし，ポストカ−ド等の裏側に貼り付けることにより，自由に開脚角度を調節でき，一定角度以上の開脚の防止が可能な，後付けの簡易スタンドとなる。【選択図】図３
0003120658.tif 000002
【実用新案登録請求の範囲】
【請求項１】
厚めと薄めの２枚の細長い台形の紙質又は樹脂膜片等の板状材を用いて作る，開脚可能な支脚部を設け，ポストカ−ド等の展示するものの裏側に貼り付けて使用する簡易スタンドであり，
（１）厚めの台形の紙は，開閉脚が可能な支脚部を形成するため，上部辺からおおよそ全体長の１０分の３の位置まで及び下部辺からおおよそ全体長の１０分の１の位置まで糊代をとり，上部の糊代の切れ目に外側に向けて折曲部を設けるため折り目を付けておく。
（２）薄めの台形の紙は，開脚角度の調節が可能な補助支脚部を形成するため，上部辺からおおよそ全体長の１０分の３の位置まで糊代をとり，中央部並びに上部から１０分の３の位置及び下部から１０分の１の位置に，それぞれ外側に向けて折曲部を設けるため折り目を付けておく。
（３）（１）と（２）を貼り合わせる。
この場合，上部の糊代は，２枚の紙を剥がれ易くするため，粘着性の弱い糊を使用する。
（４）（３）を簡易スタンドとして使用する際には，貼り合わせた２枚の紙の上部を引き剥がし，（２）の薄めの台形の紙の中央の折曲部で２つ折りにし，その先端部を（３）の下部辺線に揃え，ポストカ−ド等の展示するものの裏側に貼り付ける。
（５）これらにより，自由に開脚角度を調節でき，一定角度以上の開脚の防止が可能な，後付けの簡易スタンドが形成される。
また，ポストカ−ド等の展示を中止する場合は，当該スタンドからポストカ−ド等を剥がし，（４）の２つ折りにした補助支脚部を元に戻し，支脚部に貼り合わせる。
以上の構成からなる，２枚の紙等の板状材を用いた，開閉脚が可能で，開閉角度も自由に変えられ，取り付けも取り外しも自由にできることを特徴とする後付けの簡易スタンド。
【考案の詳細な説明】
【０００１】  この考案は，ポストカ−ドや写真等を立てて展示する際，裏側に貼り付けて使用する，２枚の紙等で作る簡易スタンドで，自由に開閉する支脚部を設けることにより，任意の傾きでスタンドを立てることができる，紙質又は樹脂膜片等の板状材を使用した，手軽な簡易スタンドに関するものである。
【背景技術】
【０００２】  従来，ポストカ−ドや写真等を立てるスタンドは，木，樹脂製の支脚部を有したものがあった。
【考案が解決しょうとする課題】
【０００３】  これらは，次のような問題点があった。
ポストカ−ド立て等のスタンドは，フレ−ム部と支脚部が別々に作られ，木，樹脂製の支脚部を蝶番でフレ−ム部に取り付けたものが多い。
このため，ポストカ−ド等を立てるだけなのに，必要以上に頑丈な構造になっており，値段も高くなっている。
また，スタンドの組立に手間と時間を要し，さらに，ポストカ−ド等の差し替えに手間がかかる。
本考案は，以上のような欠点をなくし，ポストカ−ド等の展示の際，裏側に貼ることによりスタンドが形成され，手軽に，安全に，経済的に使用できる簡易スタンドに関するものである。
【課題を解決するための手段】
【０００４】（１）厚めと薄めの２枚の細長い台形の紙質又は樹脂膜片等の板状材を用意する。
（２）厚めの台形の紙は，開閉脚が可能な支脚部を形成するため，上部辺からおおよそ全体長の１０分の３の位置まで及び下部辺からおおよそ全体長の１０分の１の位置まで糊代をとり，上部の糊代の切れ目に外側に向けて折曲部を設けるため折り目を付けておく。
（３）薄めの台形の紙は，開脚角度の調節が可能な補助支脚部を形成するため，上部辺からおおよそ全体長の１０分の３の位置まで糊代をとり，中央部並びに上部から１０分の３の位置及び下部から１０分の１の位置に，それぞれ外側に向けて折曲部を設けるため折り目を付けておく。
（４）（２）と（３）を貼り合わせる。
この場合，上部の糊代は，２枚の紙を剥がれ易くするため粘着性の弱い糊を使用する。
（５）（４）を簡易スタンドとして使用する際には，貼り合わせた２枚の紙の上部を引き剥がし，（３）の薄めの台形の紙の中央の折曲部で２つ折りにし，その先端部を（４）の下部辺線に揃え，ポストカ−ド等の展示しようとするものの裏側に貼り付ける。
これらにより，自由に開脚角度を調節でき，一定角度以上の開脚の防止が可能な，後付けの簡易スタンドとなる。
また，ポストカ−ド等の展示を中止する場合は，当該スタンドからポストカ−ド等を剥がし，２つ折りにした補助支脚部を元に戻し，支脚部と貼り合わせる。
【本考案を実施するための最良の形態】
【０００５】  以下，本考案を実施するための最良の形態について説明する。
（１）非使用時は，２枚の紙を貼り合わせた平坦な１枚の紙であり，使用時は，貼り合わせた２枚の紙の上部を引き剥がし，薄めの台形の紙の中央の折曲部で２つ折りにし，ポストカ−ド等展示するものの裏側に貼りつける。
（２）ポストカ−ド等のスタンドとして使用する場合は，支脚部を開く。スタンドの傾斜角度は，支脚部の開きの大小により調節する。
（３）これらにより，スタンドは，ポストカ−ド等と一体となり，補助支脚により，一定以上の開脚が防止されるとともに，必要な角度での開脚が保持される。
このスタンドをしまう場合は，支脚部を閉じことにより，平坦になる。
（４）ポストカ−ド等のスタンドとしての使用を中止する場合は，ポストカ−ド等からスタンドを引き剥がし，２つ折りにした補助支脚を元に戻し，支脚と貼り合わせることにより，平坦な１枚の紙となる。
（５）このようなことを繰り返すことにより，スタンドは何度でも使用できる。
【考案の効果】
【０００６】  ポストカ−ド，写真，絵手紙，絵葉書等を展示するための手軽に，安全に，経済的に使用できる簡易スタンドは見当たらない。
本考案の簡易スタンドは，２枚の紙等で作る簡易スタンドで，必要により，ポストカ−ド等の裏側に貼るだけでスタンドになるものである。
本考案の簡易スタンドの特徴は，
（１）ポストカ−ド等の裏側に貼ったり剥がしたりして，必要に応じ何度でも手軽に使用できる。
（２）安価である。
（３）しまったり持ち歩いたり送ったりする際，平坦な１枚の紙となるので，扱いやすい。また，何枚でも重ねることができる。
さらに，この簡易スタンドの応用例としては，
（１）サイズや紙の厚さを変えることにより，各種のポストカ−ド，写真，プライスカ−ド，メニュ−カ−ド用としても使用できる。
（２）この簡易スタンドの上部に予め穴をあけておき，その部分ば糊代をとらずにおくことにより，ポストカ−ド等を吊るして展示することもできる。
【図面の簡単な説明】
【０００７】
【図１】  本考案の簡易スタンドの正面図である。
【図２】  本考案の簡易スタンドの背面図である。
【図３】  本考案の簡易スタンドの斜視図である。
【符号の説明】
【０００８】  １  支脚    ２  補助支脚
【図１】
0003120658.tif 000003
【図２】
0003120658.tif 000004
【図３】
0003120658.tif 000005